(57)【要約】【課題】  背もたれ部において枕部の上下位置調節がし易く、枕部を背もたれ部後方にはねあげたときにあっても背もたれ部から外れることを防止したマッサージ機を提供すること。【解決手段】  座部２１と背もたれ部２２とを有する椅子本体２に被施療者の背部の施療をおこなう施療部（図示せず）を設け、枕体４を背もたれ部２２上部に配設させて成るマッサージ機である。背もたれ部２２の上方又は背面側に側面視略コ字状の係止部３を設け、枕体４を、一縁から延設させた固定帯部４２を同係止部３に巻き廻し固定させる。【選択図】図１
2006102094.tif 000002
【特許請求の範囲】
【請求項１】
座部と背もたれ部とを有する椅子本体に被施療者の背部の施療をおこなう施療部を設け、枕体を前記背もたれ部上部に配設させて成るマッサージ機において、
前記背もたれ部の上方又は背面側に係止部を設け、前記枕体を、一縁から延設させた固定帯部を同係止部に巻き廻して固定させることを特徴とするマッサージ機。
【請求項２】
前記係止部を、前記背もたれ部上端部に形成したことを特徴とする請求項１に記載のマッサージ機。
【請求項３】
前記枕体を被施療者側に配したときに、前記固定帯部を、先端縁部が下側となるよう前記係止部に巻き廻すことを特徴とする請求項１または請求項２いずれかに記載のマッサージ機。
【発明の詳細な説明】
【技術分野】
【０００１】
本発明はマッサージ機に関し、特に、座部と背もたれ部とを有する椅子本体に被施療者の背部の施療をおこなう施療部を設けて枕体を背もたれ部上部に配設させた構成のマッサージ機に関する。
【背景技術】
【０００２】
上記のようなマッサージ機は、背もたれ部にもたれかかった被施療者の首の位置を安定させて、首筋に負担がかからないようにすること、あるいはマッサージ施療時の施療強さの調節を可能とすることが、重要な要素の一つとなっている。また、通常の椅子として使用にあたって、使用者のくつろぎ感向上のために、使用者の背部を支持する背もたれ部に枕体を有するものとして、図６に示すように、枕部となる中央部分１０１を背もたれ部１００の上端後方へはねあげる構成としたものが提案されている。（実開昭５８−７３２３５号公報参照）
また、上記のような枕部の背もたれ部への取付は、例えば特開２００１−２９３０５６号公報のマッサージ椅子に示されたように、背もたれ２００の上部の表面に面接着ファスナ２０１を取り付け、枕２０２の吊り体２０３の表裏面に面接着ファスナ２０４を取り付け、さらに背パッド２０５の上部の表裏面に面接着ファスナ２０６を取り付けた構成の如く、背もたれ部に面接着ファスナのような固定具を設けて行われている。なお、上記固定具は、ファスナや面状ファスナやボタンなど様々なものが使用される。
【０００３】
ところで、実際のマッサージ機の使用にあたり、被施療者の体格差等により頭の位置が異なるため、枕部を背もたれ部の後方にはねあげること以外に、上方にずらして位置調節したりすることがまれにある。しかしながら、上記では、背もたれ部に固定具を設ける構成となっているので、その際に枕部又は吊り体２０３に設けられた固定具に対して、固定具を外す方向の力が及ぼされることとなり、枕部を適切な位置に調節できないことや、背もたれ部より外れてしまうことが懸念される。また、枕部をはねあげた状態にあって、枕部又は吊り体２０３に設けられた固定具の接続箇所の裏面が見えることとなる。このため外観上好ましいとは言えない。
【特許文献１】実開昭５８−７３２３５号公報
【特許文献２】特開２００１−２９３０５６号公報
【発明の開示】
【発明が解決しようとする課題】
【０００４】
本願発明は、上記背景技術に鑑みてなされたものであり、その課題は、背もたれ部において枕部の上下位置調節がし易く、枕部を背もたれ部後方にはねあげたときにあっても背もたれ部から外れることを防止したマッサージ機を提供することである。
【課題を解決するための手段】
【０００５】
上記課題を解決するために、本願発明によるマッサージ機は、座部と背もたれ部とを有する椅子本体に被施療者の背部の施療をおこなう施療部を設け、枕体を前記背もたれ部上部に配設させて成るマッサージ機において、前記背もたれ部の上方又は背面側に係止部を設け、前記枕体を、一縁から延設させた固定帯部を同係止部に巻き廻して固定させることを特徴としている。
【０００６】
そして、前記係止部を、前記背もたれ部の上端部に形成するのが好ましい。また、前記前記固定帯部を、先端縁部が下側となるよう前記係止部に巻き廻すことが好ましい。
【発明の効果】
【０００７】
本願発明のマッサージ機は、椅子本体の背もたれ部上部に配設される枕体が、一縁から延設させた固定帯部を背もたれ部の上方又は背面側に設けられた側面視略コ字状の係止部に巻き廻して固定されるので、背もたれ部において枕部の上下位置調節がし易く、枕部を背もたれ部後方にはねあげたときにあっても背もたれ部から外れることを防止できる。
【０００８】
そして、枕体の固定帯部を固定する係止部が、椅子本体の背もたれ部を構成する布地にて背もたれ部の上方又は背面側に形成されるものとなるので、枕体を椅子本体から取り外したときにおいても係止部が目立たないものとなり、外観的に違和感が無い。
【０００９】
また、固定帯部を、先端縁部が下側となるよう係止部に巻き廻し固定させた結果として、枕体固定帯部の係止部への固定状態において固定帯部の重なり状態が目立たないものとなり、以って、美観の向上したものとなる。
【発明を実施するための最良の形態】
【００１０】
図１〜５は、本願の請求項１乃至請求項３に対応した一実施形態であるマッサージ機を示している。この実施形態のマッサージ機１は、座部２１と背もたれ部２２とを有する椅子本体２に被施療者の背部の施療をおこなう施療部（図示せず）を設け、枕体４を前記背もたれ部２２上部に配設させて成るマッサージ機において、前記背もたれ部２２の上方又は背面側に側面視略コ字状の係止部３を設け、前記枕体４を、一縁から延設させた固定帯部４２を同係止部３に巻き廻し固定させて成る。
【００１１】
この場合、前記係止部３を、前記背もたれ部２２を構成する布地の上端部に形成してもいる。また、前記枕体４を被施療者側に配したときに、前記固定帯部４２を、先端縁部４２ａが下側となるよう前記係止部３に巻き廻してもいる。
【００１２】
詳しくは、このマッサージ機１は、上端面が肘掛部となる一対の側枠２３、２３間に座部２１を取り付けるとともに、同座部２１の後方側に背もたれ部２２を配している椅子本体２にて形成され、この場合、椅子本体２の前部には、被施療者の両下腿部をそれぞれ独立して入れることができる一対の足入れ凹部５、及び足のせ台６が配設されている。なお、足入れ凹部５の両側壁には、それぞれ被施療者のふくらはぎ部を圧迫するための空気袋が設けてあり、足のせ台６には、足底部を圧迫するための空気袋が設けてある。
【００１３】
背もたれ部２２には、施療部として、布地裏側の、中央部分にもみ玉が上下方向に移動可能となるよう配設された施療機構、同施療機構を挟んで左右対称の位置各々に空気袋を設け、さらに後述する枕体４が、被施療者の肩位置より上方となる位置に設けられている。なお、上記各空気袋は、それぞれがチューブを介して給排気手段に接続してあり、この給排気手段によりその空気袋を膨張させたり、あるいは収縮させたりするようになっている。すなわち、上記背もたれ部２２の空気袋や、足入れ凹部５、及び足のせ台６の空気袋は、この給排気手段によりそれぞれ独立して膨張収縮されるよう制御される。
【００１４】
係止部３は、この場合、図２（ａ）に示すように、背もたれ部２２を構成するものと同じ布地にて側面視略コ字状に形成され、その両端３ａ、３ａが縫合されて背もたれ部２２の上端に配設されている。したがって、同図に示すように、枕体４を背もたれ部２２より取り外し椅子本体２に設けない状態にて使用する際も、従来と異なり、固定具の無い状態であるので外観的に違和感が無く、また、係止部３も目立たないものとなって好ましい。
【００１５】
枕体４は、取付時の頭載せ部分となる枕本体４１の上方に、係止部３のコ字状内寸より小さい所定巾をもって布等で構成された固定帯部４２を有して形成され、その固定帯部４２の裏面側の左右両側に固定具となる、面状ファスナ４３を帖着した構成となっている。すなわち、固定帯部４２は、図３に示すように、適宜位置において折り曲げ可能な布帯の長手方向全長にわたって面状ファスナ４３が設けられ形成されている。
【００１６】
上記構成によるマッサージ機１においては、椅子本体２の背もたれ部２２上部に配設される枕体４は、図４（ａ）に示すように、一縁から延設させた固定帯部４２を背もたれ部２２の上方に設けられた側面視略コ字状の係止部３に上側から巻き廻し固定帯部４２と背もたれ部２２上端面との間に挿通し、固定帯部４２の接合する箇所において相対する固定帯部４２裏面に取着させた面状ファスナ４３にて接合固定させる。
【００１７】
このとき、面状ファスナ４３相互の接合位置を同図（ｂ）に示すように、容易に移動させて固定させ、背もたれ部２２において枕本体４１の上下位置が調節されるのである。また、図５（ａ）に示すように、枕体４を背もたれ部２２後方にはねあげたときにあっても、同図（ｂ）に示すように、枕体４の固定箇所をずらすような荷重が加わるも、その固定箇所を引き外す方向の力は発生せず、背もたれ部から外れることを防止できるのである。
【００１８】
さらに、図１に示したように、固定帯部４２の係止部３への固定状態において固定帯部４２の重なり状態が目立たないものとなり、また、枕体４又は枕体４の固定帯部４２に設けられた固定具となる面状ファスナ４３の接続箇所が見えず係止部３の表面が外観として見えることとなるのである。
【００１９】
したがって、以上説明したマッサージ機１によると、椅子本体２の背もたれ部２２上部に配設される枕体４が、一縁から延設させた固定帯部４２を背もたれ部２２の上方又は背面側に設けられた側面視略コ字状の係止部３に巻き廻して固定されるので、背もたれ部２２において枕体４の上下位置調節がし易く、枕体４を背もたれ部２２後方にはねあげたときにあっても背もたれ部２２から外れることを防止できる。
【００２０】
そして、枕体４の固定帯部４２を固定する係止部３が、椅子本体２の背もたれ部２２を構成する布地にて背もたれ部２２の上方又は背面側に形成されるものとなるので、枕体４を椅子本体２から取り外したときにおいても係止部３が目立たないものとなり、外観的に違和感が無い。
【００２１】
また、固定帯部４２を、先端縁部４２ａが下側となるよう係止部３に巻き廻し固定させた結果として、枕体４の固定帯部４２の係止部３への固定状態において固定帯部４２の重なり状態が目立たないものとなり、以って美観の向上したものとなる。
【００２２】
なお、本発明は上記実施例に限定されず、本発明の技術思想の範囲内において、各実施例は適宜変更され得ることは明らかである。たとえば、固定具を面状ファスナにて記載したが、ファスナや複数個配列したボタン固定等でも勿論問題ない。
【図面の簡単な説明】
【００２３】
【図１】本願発明の一実施形態であるマッサージ機の概略構成を示す斜視図。
【図２】同マッサージ機の要部を示し、（ａ）は椅子本体、（ｂ）は枕体を示す斜視図。
【図３】同マッサージ機の枕体の側面図。
【図４】同マッサージ機の枕体の背もたれ部への取付け、及び位置調節の説明図。
【図５】同マッサージ機の枕体を背もたれ部後方へはねあげた状態の説明図。
【図６】従来例のマッサージ機において枕体を背もたれ部後方へはねあげた状態の説明図
【図７】別の従来例のマッサージ機において枕体の取付けを示す斜視図。
【符号の説明】
【００２４】
１      マッサージ機
２      椅子本体
２１      座部
２２      背もたれ部
３      係止部
４      枕体
４２      固定帯部
４２ａ      先端縁部
【図１】
2006102094.tif 000003
【図２】
2006102094.tif 000004
【図３】
2006102094.tif 000005
【図４】
2006102094.tif 000006
【図５】
2006102094.tif 000007
【図６】
2006102094.tif 000008
【図７】
2006102094.tif 000009